(57)【特許請求の範囲】
【請求項１】
石油を貯蔵する円筒状の上下に延びる壁部を有するタンク本体と、該タンク本体内の石油表面を覆い、かつ浮遊させる蓋状の浮屋根と、この浮屋根の周縁部に配設し、タンク本体の内壁面に摺接する伸縮可能なタンクシール部材とから成る石油貯蔵タンクにおいて、該タンクシール部材と前記タンク本体の内壁面との間に設置され、該タンクシール部材と前記タンク本体の内壁面との間に作用する圧力を測定する石油貯蔵タンクの浮屋根シール面圧測定器であって、
内部に球形化防止部材を内装し、かつ外部に圧力計を備えた可撓性袋体を有し、該可撓性袋体は、繊維補強材を埋設したゴム状弾性体から構成され、かつ流体を注入した際に前記球形化防止部材の拘束により縦断面形状が水平方向を短軸とする偏平な楕円状に形成される石油貯蔵タンクの浮屋根シール面圧測定器。
【請求項２】
前記可撓性袋体内に収容する球形化防止部材は、剛性の有る金属板，樹脂板、ハニカム構造体、棒状体及びそれらの組み合わせのいずれかにより構成した請求項１に記載の石油貯蔵タンクの浮屋根シール面圧測定器。
【発明の詳細な説明】
【０００１】
【発明の属する技術分野】
この発明は、石油貯蔵タンクの浮屋根シール面圧測定器に係わり、更に詳しくは浮屋根（ポンツーン）の周縁部に設けたタンクシール部材とタンク本体の内壁面との間に介在させる可撓性袋体の改良に関するものである。
【０００２】
【従来の技術】
従来、原油等を貯蔵または備蓄する大型浮屋根式石油貯蔵タンクの構造としては、例えば、図３及び図４に示すように、地盤に埋設された地下石油貯蔵タンクまたは地上石油貯蔵タンクのタンク本体１と、該タンク本体１内の貯蔵液Ｗ（原油等）の表面を覆うように浮遊させた蓋状の浮屋根２（ポンツーン）と、この浮屋根２の周縁部にタンク本体１の内壁面１ａとの間隙をシールする摺接可能なタンクシール部材３とから構成されている。
【０００３】
前記浮屋根２の周縁部に装着されるタンクシール部材３は、図５に示すように環状に形成されたゴム袋４ａ内にウレタンフォーム４ｂを充填させて構成し、タンク本体１の内壁面１ａと弾性的に接触し、かつ貯蔵液Ｗの表面の上下動に追従してタンク本体１の内壁面１ａを摺動するように構成されている。
【０００４】
【発明が解決しようとする課題】
ところで、タンク本体１内に収容された貯蔵液Ｗの表面に浮屋根２を設置する際、浮屋根２の周縁部に装着されるタンクシール部材３がタンク本体１の内壁面１ａとどの程度のシール圧力で接触しているかが問題となる。
【０００５】
従来、このシール面圧測定器として、図６に示すような水等の流体を封入した柔軟性耐圧ゴム袋５をタンクシール部材３の数カ所（９０度間隔で４ヵ所）に配設し、柔軟性耐圧ゴム袋５に設けた圧力計６で荷重に伴う柔軟性耐圧ゴム袋５の容積変化を差圧力として捕らえ、荷重を算出する方式の簡易ゴム袋計量器が主流を占めていた。
【０００６】
然しながら、柔軟性耐圧ゴム袋５は柔軟性があり、しかも形状が特定された形態とならないため、タンクシール部材３への取付け前に初期設定圧力をかけた時に、球状に近い形態となり取扱いの困難な肉厚の測定器となってしまうと言う問題があった。
【０００７】
即ち、図３及び図４に示すように浮屋根２の周縁部に装着されるタンクシール部材３の数箇所、例えば、周方向に９０度間隔で４ヵ所に耐圧ゴム袋を取付ける場合、柔軟性耐圧ゴム袋５に設定圧となるように流体を注入すると、柔軟性耐圧ゴム袋５は球状に近い形態となってタンクシール部材３とタンク本体１の内壁面１ａとの間に容易にセットできないと言う問題がある。
【０００８】
また、荷重による圧力を容易に検知するには、柔軟性耐圧ゴム袋５の材料を出来るだけ柔軟性を持たせる必要があるが、しかし、ゴム袋を荷重なしで加圧した場合、柔軟性があればある程、ゴム袋は球形で、断面は円形になろうとする。特に、シール面圧測定器として用いる柔軟性耐圧ゴム袋５は、隙間等に挿入された弾性体の反力測定等に用いられるため、柔軟性耐圧ゴム袋５の測定器を挿入するスペースを作ることが容易ではなかった。
【０００９】
また、挿入された測定器の肉厚が厚いと、測定位置が実際の圧迫位置よりも更に反発力の高い位置での計測となり、誤差が大きくなり、従ってシール面圧測定器として用いる柔軟性耐圧ゴム袋５の肉厚は薄い方が望ましいのである。
【００１０】
この発明の目的は、圧力計を備えた可撓性袋体を圧力注入時に偏平な楕円状の形態となるようにすることで、タンクシール部材とタンク本体の内壁面との間にセットする取付け作業性も容易に行うことが出来、また肉薄で軽量化を図ることが出来、更に測定精度も向上させることが出来る石油貯蔵タンクの浮屋根シール面圧測定器を提供することにある。
【００１１】
【課題を解決するための手段】
この発明の石油貯蔵タンクの浮屋根シール面圧測定器は、上記目的を達成するため、石油を貯蔵する円筒状の上下に延びる壁部を有するタンク本体と、該タンク本体内の石油表面を覆い、かつ浮遊させる蓋状の浮屋根と、この浮屋根の周縁部に配設し、タンク本体の内壁面に摺接する伸縮可能なタンクシール部材とから成る石油貯蔵タンクにおいて、該タンクシール部材と前記タンク本体の内壁面との間に設置され、該タンクシール部材と前記タンク本体の内壁面との間に作用する圧力を測定する石油貯蔵タンクの浮屋根シール面圧測定器であって、内部に球形化防止部材を内装し、かつ外部に圧力計を備えた可撓性袋体を有し、該可撓性袋体は、繊維補強材を埋設したゴム状弾性体から構成され、かつ流体を注入した際に前記球形化防止部材の拘束により縦断面形状が水平方向を短軸とする偏平な楕円状に形成されることを要旨とするものである。
【００１２】
この発明は、上記のように構成され、圧力計を備えた可撓性袋体の内部に剛性の有る金属板，樹脂板、ハニカム構造体、棒状体及びそれらの組み合わせのいずれかにより構成した球形化防止部材を内装することで、加圧時に偏平な楕円状の形態となるようにすることが出来、従って、初期加圧に対する流体の注入量が少なくて良く、液体の場合には極めて軽量化を図ることが可能と成る。また，取付けの際も僅かな間隙を作るだけで良く、挿入作業性も良好で、測定位置が実際に加圧される位置により近いため、実際に近い位置で計測することが出来る。
【００１３】
【発明の実施の形態】
以下、添付図面に基づきこの発明の実施の形態を説明する。
【００１４】
なお、従来例と同一構成要素は、同一符号を付して説明は省略する。
【００１５】
図１は、この発明を実施した可撓性袋体８の加圧前の側面図、図２は可撓性袋体８を加圧した時の中央縦断面図を示している。
【００１６】
この発明にかかる可撓性袋体８は、円筒状の上下に延びる壁部を有するタンク本体１の内部に配設した浮屋根２の周縁部に装着されるタンクシール部材３とタンク本体１の内壁面１ａとの間の数カ所（この実施形態では、周方向に９０度間隔で４ヵ所に設けてあるが、数は少なくとも４ヵ所以上設ければ良い）に設けてあり、複数使用される。
【００１７】
前記タンクシール部材３は、環状に形成されたゴム袋４ａ内にウレタンフォーム４ｂを充填させて構成してあり、このタンクシール部材３に埋設されるように前記可撓性袋体８を配設する。
【００１８】
この可撓性袋体８は、繊維補強材９を埋設したＣＲ系のゴム状弾性体で袋状に形成してあり、内部には球形化防止部材７を内装し、かつ内圧を測定する圧力計６を備えている。また可撓性袋体８の一部には、流体（液体や気体）等を注入する注入口１０を設け、また可撓性袋体８の上部には、配管１１を介して前記圧力計６が外部に取付けてある。
【００１９】
更に、前記可撓性袋体８の内部に設けた球形化防止部材７は、可撓性袋体８の形状に対応させて剛性の有る金属板，樹脂板、ハニカム構造体、棒状体及びそれらの組み合わせのいずれかにより構成したものを使用している。
【００２０】
従って、可撓性袋体８に圧力流体を注入すると、球形化防止部材７で形状を拘束することで、図２に示すように縦断面形状が水平方向を短軸とする偏平な楕円状の形態とすることが出来る。
【００２１】
この発明は、上記のように構成され、タンク本体１内に収容された貯蔵液Ｗの表面に浮屋根２を設置する際、浮屋根２の周縁部に装着されるタンクシール部材３がタンク本体１の内壁面１ａとどの程度のシール圧力で接触しているかを測定する場合、可撓性袋体８に予め初期設定圧力の流体を注入して図２に示すように、縦断面形状が水平方向を短軸とする偏平な楕円状の形態にしたものをタンクシール部材３の所定位置に設置する際、タンクシール部材３をへこませた状態で、その間隙に偏平な楕円状の可撓性袋体８をそれぞれ挿入する。
【００２２】
そして、タンクシール部材３の数カ所の位置で、圧力計６により設定圧力より高いか、低いかを計測することで、タンクシール部材３のタンク本体１の内壁面１ａに作用する荷重圧力を正確に測定することが出来るものである。
【００２３】
以上のように圧力計６を備えた可撓性袋体８の内部に球形化防止部材７を内装することで、加圧時に偏平な楕円状の形態にすることが出来、従って、初期加圧に対する流体の注入量も少なくて良く、液体の場合には極めて軽量化を図ることが可能と成る。また，取付けの際も僅かな間隙を作るだけで良く、取付け作業性も良好で、測定位置が実際に加圧される位置により近いため、実際に近い位置で計測することが出来る。
【００２４】
【発明の効果】
この発明は、上記のように石油を貯蔵するタンク本体と、該タンク本体内の石油表面を覆い、かつ浮遊させる蓋状の浮屋根と、この浮屋根の周縁部に配設し、タンク本体の内壁面に摺接する伸縮可能なタンクシール部材とから成る石油貯蔵タンクであって、前記タンクシール部材とタンク本体の内壁面との間の数カ所に、内部に球形化防止部材を内装し、かつ圧力計を備えた可撓性袋体を配設したので、圧力計を備えた可撓性袋体を圧力注入時に偏平な楕円状の形態にすることが出来、これにより取付け作業性を向上させることが出来ると共に、肉厚を薄くして軽量化を図ることが出来、更に測定位置が実際に加圧される位置により近いため、測定精度も向上させることが出来る効果がある。
【図面の簡単な説明】
【図１】この発明を実施した可撓性袋体の加圧前の側面図である。
【図２】可撓性袋体を加圧膨張した時の中央縦断面図である。
【図３】従来の石油備蓄タンクの中央縦断面図である。
【図４】図３のＡ−Ａ矢視平面図である。
【図５】図３のＸ部の拡大断面図である。
【図６】従来の可撓性袋体を加圧膨張した時の側面図である。
【符号の説明】
１  石油を収容したタンク本体
２  浮屋根（ポンツーン）
３  タンクシール部材
４ａ  ゴム袋
４ｂ  ウレタンフォーム
５  柔軟性耐圧ゴム袋
６  圧力計
７  球形化防止部材
８  可撓性袋体
９  繊維補強材
１０  注入口
１１  配管
Ｗ  貯蔵液（原油等）
【図１】
0004103944.tif 000002
【図２】
0004103944.tif 000003
【図３】
0004103944.tif 000004
【図４】
0004103944.tif 000005
【図５】
0004103944.tif 000006
【図６】
0004103944.tif 000007